(57)【要約】【課題】  本発明は、ブラインドを極めて薄く構成することが出来、これによりブラインドを窓ガラスに貼り付けることでブラインドの使用中でも窓の開閉に支障がなく、窓際にブラインドを垂れ下げるスペースを確保する必要もないブラインドを提供することを可能にすることを目的としている。【解決手段】  遮光性を有する遮光部５の両端部と、透光性を有する接合部６，７とがヒンジ部８，９によりそれぞれ折曲可能に接続され、該接合部６，７を透光性を有する樹脂製面材２，３の互いに対向する内面２ａ，３ａにそれぞれ接合して構成したことを特徴とする。【選択図】      図１
2006045925.tif 000002
【特許請求の範囲】
【請求項１】
透光性を有し且つ互いに対向して配置される第１、第２の面材と、
透光性を有し且つ前記第１、第２の面材の互いに対向する面にそれぞれ接合される第１、第２の接合部と、
遮光性を有する遮光部と、
前記遮光部の両端部と前記第１、第２の接合部とをそれぞれ折曲可能に接続する第１、第２のヒンジ部と、
を有することを特徴とするブラインド。
【請求項２】
前記第１、第２の面材間には、長尺状で複数の前記遮光部が上下方向に所定間隔離間しつつ横方向に配置され、上下方向に隣設される該遮光部が前記第１、第２の接合部により前記第１、第２の面材の互いに対向する面にそれぞれ接合される相互の離間距離は、前記遮光部の幅寸法と等しいか若しくはそれよりも小さい寸法に設定されたことを特徴とする請求項１に記載のブラインド。
【請求項３】
前記第１、第２の接合部と、前記第１、第２のヒンジ部と、前記遮光部とが実質的に単一の部材として構成されており、前記第１、第２のヒンジ部が少なくとも前記遮光部よりも薄く形成されたことを特徴とする請求項１に記載のブラインド。 
【発明の詳細な説明】
【技術分野】
【０００１】
本発明は、窓に設けられて取り入れる光量及び視界を調節するブラインドに関するものである。
【背景技術】
【０００２】
従来のブラインドとしては、２重ガラスの内部に着色したプラスチックをブラインド状に作動するようにして内臓することが提案されている（例えば、特許文献１参照。）。また、ポリプロピレン合成樹脂のヒンジ性を利用して遮蔽板を折曲線から任意の角度に折曲自在としたものもある（例えば、特許文献２参照。）。
【０００３】
また、面を対向させて平行状に並べて配置された多数枚の硬質合成樹脂製スラットが一体的に形成された軟質合成樹脂製のヒンジ部により断面ジグザグ状に形成されたものもある（例えば、特許文献３参照。）。また、複数の上下に延長する板状のユニットを幅方向に順次屈曲自在なヒンジにより連結した波形スクリーンが提案されている（例えば、特許文献４参照。）。
【０００４】
【特許文献１】特開平０９−２２６３６４号公報
【特許文献２】実開昭６３−１１１５９９号公報
【特許文献３】実公昭６３−０４６６３５号公報
【特許文献４】特開平０９−２２８７６４号公報
【発明の開示】
【発明が解決しようとする課題】
【０００５】
しかしながら、従来のブラインドは窓の室内側に垂れ下げて使用されるのが一般であり、ブラインドの使用中は窓の開閉に支障があったり、ブラインドを垂れ下げるスペースを窓際に確保しておく必要があった。
【０００６】
本発明は前記課題を解決するものであり、その目的とするところは、ブラインドを極めて薄く構成することが出来、これによりブラインドを窓ガラスに貼り付けることでブラインドの使用中でも窓の開閉に支障がなく、窓際にブラインドを垂れ下げるスペースを確保する必要もないブラインドを提供せんとするものである。
【課題を解決するための手段】
【０００７】
前記目的を達成するための本発明に係るブラインドの第１の構成は、透光性を有し且つ互いに対向して配置される第１、第２の面材と、透光性を有し且つ前記第１、第２の面材の互いに対向する面にそれぞれ接合される第１、第２の接合部と、遮光性を有する遮光部と、前記遮光部の両端部と前記第１、第２の接合部とをそれぞれ折曲可能に接続する第１、第２のヒンジ部とを有することを特徴とする。面材としては樹脂製フィルムが好ましいがガラス板でも良い。
【０００８】
また、本発明に係るブラインドの第２の構成は、前記第１の構成において、前記第１、第２の面材間には、長尺状で複数の前記遮光部が上下方向に所定間隔離間しつつ横方向に配置され、上下方向に隣設される該遮光部が前記第１、第２の接合部により前記第１、第２の面材の互いに対向する面にそれぞれ接合される相互の離間距離は、前記遮光部の幅寸法と等しいか若しくはそれよりも小さい寸法に設定されたことを特徴とする。
【０００９】
また、本発明に係るブラインドの第３の構成は、前記第１の構成において、前記第１、第２の接合部と、前記第１、第２のヒンジ部と、前記遮光部とが実質的に単一の部材として構成されており、前記第１、第２のヒンジ部が少なくとも前記遮光部よりも薄く形成されたことを特徴とする。
【発明の効果】
【００１０】
本発明に係るブラインドの第１の構成によれば、第１、第２の面材を互いに平行移動することで、第１、第２のヒンジ部により折曲可能に接続された遮光部の遮光角度を変えることが出来、これにより窓から取り入れる光量及び視界を調節することが出来る。
【００１１】
また、このような構造によりブラインドを極めて薄く構成することが出来、これによりブラインドを窓ガラスに貼り付けることでブラインドの使用中でも窓の開閉に支障がなく、窓際にブラインドを垂れ下げるスペースを確保する必要もない。
【００１２】
また本発明に係るブラインドの第２の構成によれば、第１、第２の接合部により第１、第２の面材に接合されて上下に隣設する遮光部相互の離間間隔が該遮光部の幅寸法と等しいか若しくはそれよりも小さくなるように構成したことで、ブラインド全面を遮光部により遮光することが出来る。
【００１３】
また第１、第２の接合部と、第１、第２のヒンジ部と、遮光部とが実質的に単一の部材として構成したことで部品点数が削減でき、樹脂製フイルムにより一体的に構成すれば製造も容易に出来る。また第１、第２のヒンジ部が少なくとも遮光部よりも薄く形成されたことで折り曲げが自在に出来る。例えば、ヒンジ部として樹脂製フィルムを低温加熱圧延により局部的に潰して配向させて肉薄部とすることで繰り返しの折り曲げに強い構造とすることが出来る。
【発明を実施するための最良の形態】
【００１４】
図により本発明に係るブラインドの一実施形態を具体的に説明する。図１は本発明に係るブラインドの構成を示す斜視説明図、図２は接合部と遮光部とヒンジ部が一体的に構成された遮光部材の構成を示す斜視図、図３は本発明に係るブラインドの構成を示す断面説明図、図４は本発明に係るブラインドを窓ガラスの室内側に貼着した構成を示す断面説明図、図５は各種の遮光部材の例を示す斜視説明図である。
【００１５】
図１〜図４において、１はブラインドであり、透光性を有し且つ互いに対向して配置される樹脂製面材２，３の互いに対向する内面２ａ，３ａに図２に示す遮光部材４が接合されている。遮光部材４は中央部に遮光性を有する遮光部５が設けられ、その両端部にヒンジ部８，９を介して透光性を有する接合部６，７が折曲可能に接続されており、該接合部６，７が樹脂製面材２，３の互いに対向する内面２ａ，３ａに接合される。
【００１６】
樹脂製面材２，３の互いに対向する内面２ａ，３ａ間には、長尺状で複数の遮光部５が上下方向に所定間隔離間しつつ横方向に配置され、上下方向に隣設される遮光部５が接合部６，７により樹脂製面材２，３の互いに対向する内面２ａ，３ａにそれぞれ接合される相互の離間距離Ｌ（図１（ｂ）参照）は、遮光部５の幅寸法Ｗ（図２（ａ）参照）と等しいか若しくはそれよりも小さい寸法に設定されている。
【００１７】
樹脂製面材２，３は、透明な材料、例えばＰＭＭＡ（ポリメチルメタクリレート）、ＰＣ（ポリカーボネート）、ＰＥＴ（ポリエチレンテレフタレート）、ＣＯＰ（シクロオレフィンポリマー）、ガラス等で比較的薄いフィルム状のものが好適であるが、ここでは、厚さ０．５mm程度のＰＭＭＡ（ポリメチルメタクリレート）フィルムを使用し、遮光部材４は例えば厚さ０．１mm程度のＰＥＴ（ポリエチレンテレフタレート）フィルムを使用することが出来る。
【００１８】
本実施形態の遮光部材４は接合部６，７と、ヒンジ部８，９と、遮光部５とが実質的に単一の部材として構成されており、ヒンジ部８，９が少なくとも遮光部５よりも薄く形成されたものである。遮光部材４の一例としては全体の幅が３mm程度とされ、遮光部５、接合部６，７の幅がそれぞれ１mm程度とすることが出来る。
【００１９】
ヒンジ部８，９はＰＥＴフィルムを低温加熱圧延により局部的に潰して配向させて厚さ１０μｍ程度の肉薄部とすることで繰り返しの折り曲げに強い構造とすることが出来る。遮光部５は少なくともその片側表面にアルミニウム等の金属膜を蒸着したり白色等の塗装を行って遮光性を発揮することが出来る。遮光部５は一方の面が明色で他方の面が暗色にすることも出来、両面を明色にすることでも良い。また遮光部５の少なくとも一方の面が金属膜を蒸着した面とし、その表面を多数の凹凸状に形成しても良い。
【００２０】
樹脂製面材２，３の内面２ａ，３ａと、遮光部材４の接合部６，７とは熱溶着により接合しても良いし、接着剤等により接着することで接合しても良い。
【００２１】
図１、図３及び図４に示すブラインド１は、図２に示す遮光部材４の接合部６，７を遮光部５に対して互いに反対側に折り返した状態で樹脂製面材２，３の内面２ａ，３ａに接合された一例であり、図３（ａ）〜（ｃ）は樹脂製面材２，３相互を互いに上下に平行移動して遮光部５の遮光角度を変えて窓10から取り入れる光量及び視界14を調節する様子を示し、図３（ａ）は遮光部５を外光11と略平行に配置して外光11を最大に透過しつつ視界14を確保する様子を示し、図３（ｂ）は遮光部５を外光11と略垂直に配置して外光11を遮光しつつ視界14を確保する様子を示し、図３（ｃ）は遮光部５を略鉛直方向に配置して外光11及び視界14を遮断する様子を示す。
【００２２】
樹脂製面材２，３の一方を他方に対して上下方向にスライドさせるスライド手段及びその状態で保持する保持手段を設ければ好ましい。そのスライド手段及び保持手段は樹脂製面材２，３の上下端部の何れか一方または両方に配置することが出来る。スライド手段及び保持手段としてはブラインド１の樹脂製面材２，３を摩擦抵抗等により任意の位置で安定させる種々の手段が適用可能である。
【００２３】
例えば、一方の樹脂製面材３の上下端部に糸や紐等の線条部材を取り付け、該線条部材を引くことで該線条部材が取り付けられた側の樹脂製面材３及び遮光部材４を動かして遮光部５の角度調整を行うことも出来る。
【００２４】
図４はブラインド１の一方の樹脂製面材２の外面２ｂを窓ガラス12の室内側表面に貼り付けて使用した場合の一例を示す。室外側に配置される樹脂製面材２の外面２ｂに透光性の粘着層を設けて窓ガラス12の室内側表面に貼着しても良いし、透光性を有する両面テープ等により樹脂製面材２の外面２ｂを窓ガラス12の室内側表面に貼着しても良い。
【００２５】
また、２重ガラスの２枚のガラスに挟まれた空間にブラインド１を設置することも出来、このような構成により窓ガラスの厚みを増すことなくブラインド１を設置することが出来る。
【００２６】
図４（ａ）〜（ｃ）は室内側の樹脂製面材３を上下に移動して遮光部５の遮光角度を変えて窓10から取り入れる光量及び視界14を調節する様子を示し、図４（ａ）は遮光部５を窓ガラス12を透過する外光11と略平行に配置して外光11を最大に透過しつつ視界14を確保する様子を示し、図４（ｂ）は遮光部５を窓ガラス12を透過する外光11と略垂直に配置して外光11を遮光しつつ視界14を確保する様子を示し、図４（ｃ）は遮光部５を略鉛直方向に配置して外光11及び視界14を遮断する様子を示す。
【００２７】
面材２，３及び遮光部材４を樹脂製フィルムで構成すると共に熱溶着により接続する構造とすることによりブラインド１を極めて薄く且つ軽量化することが出来、これによりブラインド１を窓ガラス12に貼り付けることでブラインド１の使用中でも窓10の開閉に支障がなく、窓10際にブラインド１を垂れ下げるスペースを確保する必要もない。
【００２８】
また接合部６，７により樹脂製面材２，３に接合されて上下に隣設する遮光部５相互の離間間隔Ｌが、該遮光部５の幅寸法Ｗと等しいか若しくはそれよりも小さくなるように構成したことで、図３（ｃ）及び図４（ｃ）に示すように、ブラインド１全面を遮光部５により遮光すると共に視界14を遮断することが出来る。樹脂製面材２，３の少なくとも屋外側に配置する方には紫外線吸収剤等を含ませることにより室内側への紫外線の進入を防止することが出来る。
【００２９】
図５は遮光部材４の他の構成を示し、図５（ａ）に示すように、図２に示す遮光部材４の接合部６，７を遮光部５に対して同方向に折り返した状態で樹脂製面材２，３の内面２ａ，３ａに接合しても良い。
【００３０】
また、図５（ｂ）に示すように、遮光部材４として、例えば厚さ０．１mm程度のＰＥＴフィルムの面材を使用し、遮光部５、接合部６，７の幅がそれぞれ１mm程度で交互に連続して繰り返して形成されるようにヒンジ部８，９を１mm程度のピッチで低温加熱圧延により局部的に潰して配向させて厚さ１０μｍ程度の肉薄部を複数形成し、各遮光部５はその表面にアルミニウム等の金属膜を蒸着したり白色等の塗装を行って遮光性を有する構成とし、樹脂製面材２，３の内面２ａ，３ａと、遮光部材４の各接合部６，７とを熱溶着や接着により接合しても良い。
【００３１】
また、図５（ｃ）に示すように、遮光部材４として、例えば厚さ０．１mm程度、幅が１mm程度のＰＥＴフィルム製の長尺片からなる遮光部５、接合部６，７を別体で構成し、例えば厚さ０．１mm程度のＰＥＴフィルム製の長尺片からなるヒンジ部材13にヒンジ部８，９を低温加熱圧延により局部的に潰して配向させて厚さ１０μｍ程度の肉薄部を形成し、ヒンジ部材13と遮光部５及び接合部６，７とを熱溶着や接着により接合し、遮光部５の表面にアルミニウム等の金属膜を蒸着したり白色等の塗装を行って遮光性を有する構成とし、樹脂製面材２，３の内面２ａ，３ａと、遮光部材４の各接合部６，７とを熱溶着や接着により接合しても良い。
【産業上の利用可能性】
【００３２】
本発明の活用例として、窓に設けられて取り入れる光量及び視界を調節するブラインドに適用することが出来る。
【図面の簡単な説明】
【００３３】
【図１】本発明に係るブラインドの構成を示す斜視説明図である。
【図２】接合部と遮光部とヒンジ部が一体的に構成された遮光部材の構成を示す斜視図である。
【図３】本発明に係るブラインドの構成を示す断面説明図である。
【図４】本発明に係るブラインドを窓ガラスの室内側に貼着した構成を示す断面説明図である。
【図５】各種の遮光部材の例を示す斜視説明図である。
【符号の説明】
【００３４】
１…ブラインド
２，３…樹脂製面材
２ａ，３ａ…内面
２ｂ…外面
４…遮光部材
５…遮光部
６，７…接合部
８，９…ヒンジ部
10…窓
11…外光
12…窓ガラス
13…ヒンジ部材
14…視界
【図１】
2006045925.tif 000003
【図２】
2006045925.tif 000004
【図３】
2006045925.tif 000005
【図４】
2006045925.tif 000006
【図５】
2006045925.tif 000007